(57)【特許請求の範囲】
【請求項１】
ブラウザ機能により外部ＷＥＢサーバにアクセスしてコンテンツデータを取得するファクシミリ装置であって、
前記コンテンツデータから電話番号もしくはＦＡＸ番号を抽出データとして抽出するデータ抽出手段と、
該データ抽出手段により前記抽出データが抽出された前記コンテンツデータを特定する特定情報を抽出する特定情報抽出手段と、
前記抽出データと前記特定情報とを関連づけて記憶する抽出データ記憶手段とを具備し、
前記ブラウザ機能によるブラウジング動作終了時にブラウジング中に巡回したＷＥＢサイトより抽出し前記抽出データ記憶手段に記憶した前記抽出データと前記特定情報とを一覧として表示する表示手段及び／又は印刷する抽出データ印刷手段を、更に、具備し、
前記特定情報抽出手段により抽出される前記特定情報は、前記コンテンツデータのタイトル及び／又はコンテンツデータ内の最初の一部文章であることを特徴とするファクシミリ装置。
【請求項２】
ブラウザ機能により外部ＷＥＢサーバにアクセスしてコンテンツデータを取得するファクシミリ装置における情報収集方法であって、
前記コンテンツデータから電話番号もしくはＦＡＸ番号を抽出データとして抽出し、
当該抽出データを抽出した前記コンテンツデータを特定する特定情報を抽出し、
前記抽出データと前記特定情報とを関連づけて記憶し、
前記ブラウザ機能によるブラウジング動作終了時にブラウジング中に巡回したＷＥＢサイトより抽出し記憶した前記抽出データと前記特定情報とを一覧として表示及び／又は印刷するようにし、
前記特定情報は、前記コンテンツデータのタイトル及び／又はコンテンツデータ内の最初の一部文章であることを特徴とするファクシミリ装置における情報収集方法。
【発明の詳細な説明】
【０００１】
【発明の属する技術分野】
本発明は、ファクシミリ装置およびファクシミリ装置における情報収集方法に関し、特にブラウザ機能により外部ＷＥＢサーバにアクセスしてコンテンツデータを閲覧することができるファクシミリ装置およびファクシミリ装置における情報収集方法に関する。
【０００２】
【従来の技術】
従来のブラウザ機能を有するファクシミリ装置においては、コンテンツデータに含まれている電話番号やＦＡＸ番号に発呼する場合、ブラウジング中に該当コンテンツデータ中の該当電話番号や該当ＦＡＸ番号上にカーソルを合わせて決定キー等を押下することにより行っていた。
【０００３】
【発明が解決しようとする課題】
しかしながら、従来技術では、ブラウジング後にまとめてファクス（電話）したい場合や、コンテンツデータに含まれている電話番号およびＦＡＸ番号を管理したい場合には、コンテンツデータ中の電話番号およびＦＡＸ番号を手書きでメモを取るか、閲覧したコンテンツデータ全体を何枚も印字する必要があり、煩雑な作業が必要となるという問題点があった。
【０００４】
本発明は斯かる問題点を鑑みてなされたものであり、その目的とするところは、ブラウジング後にまとめてファクス（電話）したい場合や、コンテンツデータに含まれている電話番号およびＦＡＸ番号を管理したい場合にも、コンテンツデータ中の電話番号およびＦＡＸ番号を煩雑な作業を必要とせずに印字もしくは登録することができるファクシミリ装置およびファクシミリ装置における情報収集方法を提供する点にある。
【０００５】
【課題を解決するための手段】
本発明のファクシミリ装置は、ブラウザ機能により外部ＷＥＢサーバにアクセスしてコンテンツデータを取得するファクシミリ装置であって、前記コンテンツデータから電話番号もしくはＦＡＸ番号を抽出データとして抽出するデータ抽出手段と、該データ抽出手段により前記抽出データが抽出された前記コンテンツデータを特定する特定情報を抽出する特定情報抽出手段と、前記抽出データと前記特定情報とを関連づけて記憶する抽出データ記憶手段とを具備し、前記ブラウザ機能によるブラウジング動作終了時にブラウジング中に巡回したＷＥＢサイトより抽出し前記抽出データ記憶手段に記憶した前記抽出データと前記特定情報とを一覧として表示する表示手段及び／又は印刷する抽出データ印刷手段を、更に、具備し、前記特定情報抽出手段により抽出される前記特定情報は、前記コンテンツデータのタイトル及び／又はコンテンツデータ内の最初の一部文章であるようにしている。
本発明のファクシミリ装置における情報収集方法は、ブラウザ機能により外部ＷＥＢサーバにアクセスしてコンテンツデータを取得するファクシミリ装置における情報収集方法であって、前記コンテンツデータから電話番号もしくはＦＡＸ番号を抽出データとして抽出し、当該抽出データを抽出した前記コンテンツデータを特定する特定情報を抽出し、前記抽出データと前記特定情報とを関連づけて記憶し、前記ブラウザ機能によるブラウジング動作終了時にブラウジング中に巡回したＷＥＢサイトより抽出し記憶した前記抽出データと前記特定情報とを一覧として表示及び／又は印刷するようにし、前記特定情報は、前記コンテンツデータのタイトル及び／又はコンテンツデータ内の最初の一部文章であるようにしている。
【０００６】
【発明の実施の形態】
以下、本発明の実施の形態を図面に基づいて詳細に説明する。
【０００７】
図１は、本発明に係るファクシミリ装置の実施の形態の構成を示すブロック図である。
【０００８】
本実施の形態のファクシミリ装置１は、図１を参照すると、装置全体を制御する主制御部２と、装置状態を変更する変更コマンド、各種動作を指示する動作コマンド等を入力する操作部３と、様々な情報を格納する記憶部４と、ＨＴＭＬデータからＵＲＬアドレス、電話番号、ＦＡＸ番号等の所望のデータを抽出するＨＴＭＬデータ検索部９と、Ｌモードゲートウェイを介して外部ＷＥＢサーバとの通信を行いコンテンツデータ（ＨＴＭＬデータ）を取得するブラウザ１０と、ＨＴＭＬデータ検索部９により抽出されたデータ（以下、抽出データと称す）を印字する印字部１１と、ユーザとの視覚的なインターフェースとして装置状態やブラウジング結果であるコンテンツデータを表示するためのＬＣＤ（Liquid Crystal Display）１２とを有する。
【０００９】
記憶部４は、閲覧したコンテンツから抽出した電話番号やＦＡＸ番号を格納する電話番号格納部５と、抽出を行ったコンテンツのＵＲＬアドレスを格納するＵＲＬデータ格納部６と、ファクシミリを送信する際の宛先として選択することができる電話帳データを格納する電話帳データ格納部７と、ブラウザ１０が外部サーバと通信して取得したコンテンツデータを一時的に格納するＨＴＭＬデータ一時格納部８を有する。なお、電話番号格納部５に格納された電話番号やＦＡＸ番号と、ＵＲＬデータ格納部６に格納されたＵＲＬアドレスとは、抽出を行った順番に関連づけられて格納される。
【００１０】
次に、本実施の形態の動作について図２および図３を参照して詳細に説明する。
図２は、本発明に係るファクシミリ装置の実施の形態の抽出データ印字動作を説明するためのフローチャートであり、図３は、本発明に係るファクシミリ装置の実施の形態の抽出データ登録動作を説明するためのフローチャートである。
【００１１】
まず、図２を参照して、コンテンツデータから抽出した電話番号データやＦＡＸ番号を印字する抽出データ印字動作について説明する。
【００１２】
操作部３から閲覧したいコンテンツデータ（ページ）のＵＲＬアドレスを指定してブラウジング動作が要求されると、ブラウザ１０は、Ｌモードゲートウェイを介して外部ＷＥＢサーバに対してページ取得要求を発行し（Ｓ１）、外部ＷＥＢサーバは、ページ取得要求を受信し、当該ページ取得要求に応じてコンテンツデータをブラウザ１０に対して送信する。
【００１３】
ブラウザ１０は、外部ＷＥＢサーバからコンテンツデータを受信し（Ｓ２）、受信したコンテンツデータを記憶部４内のＨＴＭＬデータ一時格納部８に書き込む。
【００１４】
ＨＴＭＬデータ検索部９は、ＨＴＭＬデータ一時格納部８に格納されたコンテンツデータに電話番号およびＦＡＸ番号が含まれているか否かを検索し（Ｓ３）、コンテンツデータに電話番号およびＦＡＸ番号が含まれている場合には、電話番号およびＦＡＸ番号をコンテンツデータから抽出して抽出した電話番号およびＦＡＸ番号を電話番号格納部５に格納する（Ｓ４）。ステップＳ３での電話番号およびＦＡＸ番号の検索は、例えば文字列“ＰＨＯＮＥ ＴＯ”に引き続く数字列を電話番号として検索し、文字列“ＦＡＸ ＴＯ”に引き続く数字列をＦＡＸ番号として検索する。
【００１５】
ＨＴＭＬデータ検索部９は、電話番号およびＦＡＸ番号の抽出と同時に、電話番号およびＦＡＸ番号を抽出したコンテンツデータのＵＲＬアドレスを抽出し、ＵＲＬデータ格納部６に格納する（Ｓ５）。
【００１６】
次に、ブラウザ１０は、ＬＣＤ１２にコンテンツデータを表示し（Ｓ６）、ユーザは好みにより表示されたコンテンツデータを閲覧する。ステップＳ３でコンテンツデータに電話番号およびＦＡＸ番号が含まれていない場合には、直接ステップＳ６に至る。
【００１７】
次に、操作部３から入力によって終了オペレーションと、ブラウジング動作の継続とが選択され（Ｓ７）、ユーザが、他のコンテンツデータを閲覧したい場合には、ブラウジング動作の継続を選択し、ファクシミリ装置１は、再度Ｓ１からＳ６までの動作を繰り返す。ステップＳ７で終了オペレーションが選択された場合には、ブラウザ１０は、ブラウジング動作の終了処理を行う（Ｓ８）。
【００１８】
次に、主制御部２は、電話番号格納部５に抽出データが格納されているか否かを判断し（Ｓ９）、電話番号格納部５に抽出データが格納されていない場合、すなわちステップＳ９までの動作で一回も電話番号やＦＡＸ番号が抽出されなかった場合には、一連の動作を終了させる。
【００１９】
電話番号格納部５に格納された抽出データが存在する場合には、主制御部２は、電話番号格納部５から電話番号およびＦＡＸ番号を取り出すと共に、ＵＲＬデータ格納部６から当該電話番号およびＦＡＸ番号に関連づけられて格納されているＵＲＬアドレスも取り出し（Ｓ１０）、取り出した電話番号およびＦＡＸ番号とＵＲＬアドレスとを併せて印字データを生成し（Ｓ１１）、生成した印字データを印字部１１を介して印字を行う（Ｓ１２）。主制御部２は、生成した印字データを印字した後、印字した抽出データの消去、すなわち電話番号格納部５から印字した電話番号およびＦＡＸ番号の消去と、ＵＲＬデータ格納部６から印字したＵＲＬアドレスの消去とを行い（Ｓ１３）、一連の動作を終了する。
【００２０】
次に、図３を参照して、コンテンツデータから抽出した電話番号データやＦＡＸ番号を印字する抽出データ登録動作について説明する。
【００２１】
抽出データ登録動作のステップＳ１〜Ｓ１０までの動作は、抽出データ印字動作と同様である。
【００２２】
主制御部２は、ステップＳ１０で取り出した電話番号およびＦＡＸ番号とＵＲＬアドレスとを併せて登録するための登録データを生成し（Ｓ１５）、生成した登録データを電話帳データ格納部７に登録する（Ｓ１６）。主制御部２は、生成した登録データを登録した後、登録した抽出データの消去、すなわち電話番号格納部５から登録した電話番号およびＦＡＸ番号の消去と、ＵＲＬデータ格納部６から登録したＵＲＬアドレスの消去とを行い（Ｓ１７）、一連の動作を終了する。
【００２３】
以上、抽出データ印字動作と、抽出データ登録動作とを説明したが、抽出データ印字動作と抽出データ登録動作とのいずれの動作を行うかは、ステップＳ１のページ取得要求を行う前に操作部３からの入力によって選択される。
【００２４】
本実施の形態では、コンテンツデータに含まれている全ての電話番号およびＦＡＸ番号を印字もしくは登録するように構成したが、例えばステップＳ７のコンテンツデータ表示時に操作部３からの入力によって印字もしくは登録を行うか否かを選択できるように構成しても良い。
【００２５】
また、本実施の形態では、閲覧した全てのコンテンツデータを検索し、電話番号およびＦＡＸ番号が含まれているか否かを判断するように構成したが、コンテンツデータを検索する前にコンテンツデータをＬＣＤ１２に表示させ、検索したいコンテンツデータのみを検索させるように構成しても良い。
【００２６】
さらに、本実施の形態では、抽出データを印字もしくは登録する毎に消去するように構成したが、抽出データの消去は、操作部３からの入力によって行うようにしても良く、この場合には、抽出データの印字と登録との両方を行うことが可能になる。
【００２７】
さらに、本実施の形態では、抽出データに関連づけて抽出したコンテンツデータのＵＲＬアドレスを格納するように構成したが、ＵＲＬアドレスの替わりにコンテンツデータのタイトルやコンテンツデータ内の特定の一文（例えば、最初の一部文章）等を抽出データに関連づけて格納するように構成しても良い。
【００２８】
さらに、本実施の形態では、コンテンツデータから抽出する抽出データを電話番号およびＦＡＸ番号に限定したが、電話番号およびＦＡＸ番号の替わりに何らかの文字列（例えば、ユーザに検索文字列を入力させるようにする等）をコンテンツデータから抽出するように構成しても良く、この場合には、テーマで関連づけられたＵＲＬ一覧を作成することができる。但し、抽出した文字列を記憶部４に登録を行う場合には、電話帳データ格納部７に格納するのではなく、新たに文字列を記憶するためのメモリ領域を定義して当該メモリ領域に格納すると良い。
【００２９】
以上説明したように、本実施の形態によれば、閲覧したコンテンツデータから電話番号およびＦＡＸ番号を抽出し、抽出した電話番号およびＦＡＸ番号を印字もしくは登録するように構成することにより、ブラウジング後にまとめてファクス（電話）したい場合や、コンテンツデータに含まれている電話番号およびＦＡＸ番号を管理したい場合にも、コンテンツデータ中の電話番号およびＦＡＸ番号を煩雑な作業を必要とせずに印字もしくは登録することができるという効果を奏する。
【００３０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【００３１】
【発明の効果】
本発明のファクシミリ装置およびファクシミリ装置における情報収集方法は、閲覧したコンテンツデータから電話番号およびＦＡＸ番号を抽出し、抽出した電話番号およびＦＡＸ番号を印字もしくは登録するように構成することにより、ブラウジング後にまとめてファクス（電話）したい場合や、コンテンツデータに含まれている電話番号およびＦＡＸ番号を管理したい場合にも、コンテンツデータ中の電話番号およびＦＡＸ番号を煩雑な作業を必要とせずに印字もしくは登録することができるという効果を奏する。
【図面の簡単な説明】
【図１】本発明に係るファクシミリ装置の実施の形態の構成を示すブロック図である。
【図２】本発明に係るファクシミリ装置の実施の形態の抽出データ印字動作を説明するためのフローチャートである。
【図３】本発明に係るファクシミリ装置の実施の形態の抽出データ登録動作を説明するためのフローチャートである。
【符号の説明】
１  ファクシミリ装置
２  主制御部
３  操作部
４  記憶部
５  電話番号格納部
６  ＵＲＬデータ格納部
７  電話帳データ格納部
８  ＨＴＭＬデータ一時格納部
９  ＨＴＭＬデータ検索部
１０  ブラウザ
１１  印字部
１２  ＬＣＤ
【図１】
0003996421.tif 000002
【図２】
0003996421.tif 000003
【図３】
0003996421.tif 000004